(57)【要約】    【課題】対象物に取り付けるときでも、打付け機を使用しても破損のおそれが少ない装飾リベットを提供する。    【解決手段】貫通孔（２１）とその貫通孔周辺の縁部（２２）を有する表面材（２）、前記の表面材（２）の前記貫通孔（２１）から視認可能な装飾体（３）、前記装飾体（３）を支持する中座（４）、前記中座（４）を支持する脚部（５１）付きのベース（５）、取付対象物（７）の裏から前記ベース（５）にかしめられる裏打ち材（６）からなる。前記装飾体（３）は、前記表面材（２）の縁部（２２）と前記中座（４）に挟まれて固定される。前記表面材（２）の前記貫通孔（２１）には第１段部（２４）が形成され、前記中座（４）には第２段部（４４）が形成されており、前記第１段部（２４）と第２段部（２５）が接触している。【選択図】図２
2008279163.tif 000002
【特許請求の範囲】
【請求項１】
貫通孔（２１）とその貫通孔周辺の縁部（２２）を有する表面材（２）、前記貫通孔（２１）から視認可能な装飾体（３）、前記装飾体（３）を支持する中座（４）、前記中座（４）を支持する脚部（５１）付きのベース（５）、取付対象物（７）の裏から前記ベース（５）にかしめられる裏打ち材（６）からなり、前記装飾体（３）は、前記表面材（２）の縁部（２２）と前記中座（４）に挟まれて固定される装飾リベットにおいて、
前記表面材（２）の前記貫通孔（２１）には第１段部（２４）が形成され、前記中座（４）には第２段部（４４）が形成されており、前記第１段部（２４）と第２段部（４４）が接触している
ことを特徴とする装飾リベット。
【請求項２】
前記装飾体が、宝石、模造宝石、動植物起源の天然素材、の何れかからなる割れやすい素材である請求項１記載の装飾リベット。
【請求項３】
前記装飾体（３）が、宝石又は模造宝石であり、上下カット面を有し、前記上部カット面（３２）は前記表面材の縁部（２２）に押さえられ、前記下部カット面（３３）は前記中座の受け部（４２）により支持されている請求項２記載の装飾リベット。
【請求項４】
ベース（５）の上に中座（４）と装飾体（３）を乗せ、装飾体が表面材（２）の貫通孔（２１）から見えるように表面材（２）を被せ、その後、取付対象物（７）を挟んで、裏打ち材（６）と共にかしめる装飾リベットの製造方法において、
前記表面材（２）には第１段部（２４）を形成し、
前記中座（４）には第２段部（４４）を形成し、
打付け機においてかしめるときに、前記装飾体（３）に打付け機の加圧力が加わる前に、前記第１段部（２４）と前記第２段部（４４）を接触させる
ことを特徴とする装飾リベットの製造方法。
【発明の詳細な説明】
【技術分野】
【０００１】
本発明は、宝石、模擬宝石等で装飾を施したリベット及びその製造方法に関する。
【背景技術】
【０００２】
リベットは、２枚以上のシート状対象物を締結したり、取付対象物に装飾を施したりするのに使用するのが一般的である。服飾用の装飾リベットの一例として下記特許文献１のような発明が知られている。
【０００３】
この従来技術によれば、装飾体を任意の材料で先行して作製し、当該装飾体を鋳型の一部にしてポリアセタール樹脂製のリベット体を一体成型することにより、装飾体とポリアセタール樹脂製のリベット体とから成る服飾用リベット部材を構成している。装飾体としては、ナイロンやＡＢＳ樹脂のような熱可塑性樹脂の他、ポリエステルのような熱硬化性樹脂や金属、ガラス、天然石、天然木、貝殻等でも使用できる、と記されている。
【特許文献１】特開平１０−２１５９１７号
【発明の開示】
【発明が解決しようとする課題】
【０００４】
この従来技術では、リベットを製作するところまでは問題ないが、打付け機を使用してそのリベットを服地などの対象物に打ち込んだり、かしめたりするときに問題となるかも知れない。というのは、装飾体は、貝類や宝石のようにカットしたガラス加工品であるが、これが金属の爪や縁部で強く押圧されるため、力をかけたときに装飾体が欠けたり、割れたりしやすいからである。そのため、装飾リベットを衣服等へ取付けるのに自動化が困難である。
【０００５】
本発明では、対象物に取り付けるときでも、打ち付け機を使用しても破損のおそれが少ない装飾リベットを提供することを目的とする。
【課題を解決するための手段】
【０００６】
本発明の装飾リベットは、貫通孔とその貫通孔周辺の縁部を有する表面材、前記貫通孔から視認可能な装飾体、前記装飾体を支持する中座、前記中座を支持する脚部付きのベース、取付対象物の裏から前記ベースにかしめられる裏打ち材からなり、前記装飾体は、前記表面材の縁部と前記中座に挟まれて固定されるものにおいて、前記表面材の貫通孔には第１段部が形成され、前記中座には第２段部が形成されており、前記第１段部と第２段部が接触していることを特徴とする。
【０００７】
本発明の方法は、ベースの上に中座と装飾体を乗せ、装飾体が表面材の貫通孔から見えるように表面材を被せ、その後、取付対象物を挟んで、裏から裏打ち材と共にかしめる装飾リベットの製造方法において、前記表面材には第１段部を形成し、前記中座には第２段部を形成し、打付け機において前記諸部品をかしめるときに、前記装飾体に打付け機の加圧力が加わる前に、前記第１段部と前記第２段部が接触することを特徴とする。
【発明の効果】
【０００８】
本発明によれば、打付け機において前記諸部品をかしめるときに、前記装飾体に打付け機の加圧力が加わる前に、前記第１段部と前記第２段部が接触するので、装飾体には直接的に強い押圧力が加わることがない。そのため、かしめ作業において、装飾体が欠けたり割れたりする可能性が低い。
【発明を実施するための最良の形態】
【０００９】
装飾体を構成する割れやすい素材は、貝類や動物の角・牙・骨など動植物起源の天然素材、宝石又は模造宝石である。貝類としては、例えばアコヤ貝を使用することができ、模造宝石は、クリスタルガラス加工品であることが多い。例えば、業界では、製造会社名に由来する「スワロフスキー」（商標）という名で知られているクリスタルガラス加工品を使用することができる。
【００１０】
好ましくは、前記クリスタルガラス加工品は上下カット面を有し、前記上部カット面は前記表面材の縁部に押さえられ、前記下部カット面は前記中座の受け部により支持されているようにする。これにより、装飾体が安定的に支持される。
【実施例１】
【００１１】
以下、添付の図面に基づき、本発明の実施例を説明する。
【００１２】
図１は、本発明の実施例に係るリベット１の展開斜視図である。図２は対象物に取付前の断面図、図３は、取付後の断面図である。
【００１３】
上から順に、表面材２、装飾体３、中座４、脚部５１付きのベース５、裏打ち材６である。
【００１４】
表面材２は、金属製で花びらの形を模しており、中央部が貫通孔２１となっている。貫通孔の周囲は盛り上がった縁部２２を形成している。図３の拡大図に示すように、表面材２の下面には回転防止用の爪２３が形成されている。縁部２２のやや下で、貫通孔２１に第１段部２４が形成されている。
【００１５】
装飾体３は、ここでは、宝石を模したガラス加工品であり、「スワロフスキー」（商標）という名で知られているものである。最上部カット面３１、上部カット３２面及び下部カット面３３を有する。
【００１６】
中座４は、金属製で、貫通孔４１を有する肉厚のリングである。図２に示すように、すり鉢状になった装飾体の受け部４２と、平坦な頂部４３と、頂部よりやや低い周縁平坦部となり、第２段部４４を形成している。
【００１７】
ベース５は、頂部にフランジ５２を有する金属製の中空円筒であり、円筒部が脚部５１を構成している。
【００１８】
裏打ち材６は、平面材６１と突起部６２からなり、生地の裏側から表面側リベット部品にかしめるのに使用する。
【００１９】
これらを組み立てるには、上記説明とは逆に、ベース５の上に中座４、装飾体３を乗せ、装飾体３が表面材の貫通孔２１から見えるように表面材２を被せる。その後、生地７に当て、裏から裏打ち材６と共にかしめる。
【００２０】
このとき、装飾体３の上部カット面３２は表面材２の縁部２２に押さえられ、下部カット面３３は中座４の受け部４２により支持されている。また、表面材の第１段部２４と中座の第２段部４４は互いに接触している。
【００２１】
打ち付け機でリベット表面側部品と裏打ち材をかしめるとき、装飾体３に加圧力が及ぶ前に、この第１・第２段部２４，４４が接触するようにこれら段部の高さ設定を行うことが大切である。それにより、機械の加圧力がこの接触部で吸収され、装飾体３に大きな加圧力として伝わらない。その結果、装飾体３が欠けたり、割れたりしない。
【図面の簡単な説明】
【００２２】
【図１】本発明の実施例に係るリベットの展開斜視図である。
【図２】（ａ）は、本発明の実施例に係るリベットの対象物に取付前の断面図である。（ｂ）は、リベットの取付後の断面図である。
【図３】図２（ｂ）の拡大図である。
【符号の説明】
【００２３】
１     リベット
２     表面材
２１   貫通孔
２２   縁部
２３   爪
２４   段部
３     装飾体
３１   最上部カット面
３２   上部カット面
３３   下部カット面
４     中座
４１   貫通孔
４２   受け部
４４   段部
５     ベース
５１   脚部
６     裏打ち材
７     生地（取付対象物）
【図１】
2008279163.tif 000003
【図２】
2008279163.tif 000004
【図３】
2008279163.tif 000005